(57)【要約】【課題】媒体分離ローラーの交換作業が簡単な媒体分離ローラー装着機構を提案すること。【解決手段】媒体分離ローラー１６の装着機構は、ローラーホルダーユニット９０と搬送路の側のユニット装着部７０を有している。ローラーホルダーユニット９０は、媒体分離ローラー１６を支持する第１ホルダー１００と、ホルダー回動中心線回りに回動可能な状態で第１ホルダー１００に連結された第２ホルダー１１０と、第１ホルダー１００を、第２ホルダー１１０に対して、ホルダー回動中心線回りに付勢している付勢部材１３０とを備えている。媒体分離ローラー１６と付勢部材１３０をユニット化した形態でユニット装着部７０に着脱可能としてある。よって、媒体分離ローラー１６の交換作業が容易になる。【選択図】図８
2014172736.tif 000002
【特許請求の範囲】
【請求項１】
シート状媒体を搬送する媒体搬送ローラーに対峙する位置に、媒体分離ローラーを着脱可能に装着する媒体分離ローラー装着機構であって、
前記媒体搬送ローラーが配置されている装置本体部の側に設けたユニット装着部と、
前記ユニット装着部に対して着脱可能なローラーホルダーユニットと、
を有し、
前記ローラーホルダーユニットは、
前記媒体分離ローラーと、
前記媒体分離ローラーに、前記媒体搬送ローラーに向けての押圧力を付与する付勢部材と、
前記媒体分離ローラーおよび前記付勢部材を支持するホルダーと、
を備え、
前記ユニット装着部は、前記ホルダーを着脱可能に支持するホルダー装着部を備えていることを特徴とする媒体分離ローラー装着機構。
【請求項２】
前記ローラーホルダーユニットは、前記ホルダーとして、第１ホルダーおよび第２ホルダーを備え、
前記第１ホルダーは、前記媒体分離ローラーを支持し、
前記第２ホルダーは、前記媒体分離ローラーのローラー回転中心線に平行なホルダー回動中心線回りに回動可能な状態で、前記第１ホルダーに連結され、
前記付勢部材は、前記第１ホルダーを、前記第２ホルダーに対して、前記ホルダー回動中心線を中心とする一方の回動方向に付勢しており、
前記ユニット装着部は、前記ホルダー装着部として、第１ホルダー装着部および第２ホルダー装着部を備え、
前記第１ホルダー装着部は、前記第１ホルダーを、前記ホルダー回動中心線回りに回動可能に支持し、かつ、前記ローラー回動中心線と交差する方向から着脱可能であり、
前記第２ホルダー装着部は、前記第２ホルダーを、前記ホルダー回動中心線回りの所定の回動位置に、着脱可能に係止する請求項１に記載の媒体分離ローラー装着機構。
【請求項３】
前記第１ホルダーは、前記付勢部材の付勢力によって、前記第２ホルダーに対して、前記回動方向から係合可能な係合部を備えている請求項２に記載の媒体分離ローラー装着機構。
【請求項４】
前記第１ホルダーは、前記ホルダー回動中心線を規定する支軸を備え、
前記第１ホルダー装着部は、前記支軸を回動可能な状態で支持する軸溝、および、当該軸溝に形成され、前記ローラー回動中心線と交差する方向に開口する溝開口部を備え、
前記支軸の軸直角断面形状は、直交方向の一方が広幅部分で、他方が前記広幅部分よりも細い細幅部分となる形状であり、
前記溝開口部の溝幅は、前記支軸の前記細幅部分が通過可能で、前記広幅部分が通過できない幅に設定されている請求項２または３に記載の媒体分離ローラー装着機構。
【請求項５】
前記第２ホルダー装着部は、装着部側係止部を備え、
前記第２ホルダーは、前記装着部側係止部に対して、前記ホルダー回動中心線を中心として前記回動方向とは逆の方向から係止可能なホルダー側係止部を備え、
前記ホルダー側係止部は、前記装着部側係止部に対する係止が解除される方向に弾性変位可能である請求項２ないし４のうちのいずれか一つの項に記載の媒体分離ローラー装着機構。
【請求項６】
前記第１ホルダーはホルダー側当接部を備え、
前記ユニット装着部は、前記第１ホルダー装着部に装着された前記第１ホルダーの前記ホルダー側当接部に当接して、前記第１ホルダーを前記回動方向とは逆の方向に回動可能な装着部側当接部を備えている請求項１ないし５のうちのいずれか一つの項に記載の媒体分離ローラー装着機構。
【請求項７】
シート状媒体を搬送する媒体搬送ローラーが配置されている装置本体部の側に設けたユニット装着部に着脱可能に装着されるローラーホルダーユニットであって、
媒体分離ローラーと、
前記媒体分離ローラーに、前記媒体搬送ローラーに向けての押圧力を付与する付勢部材と、
前記媒体分離ローラーおよび前記付勢部材を支持するホルダーと、
を備え、
前記ユニット装着部に装着されると、前記媒体分離ローラーは前記媒体搬送ローラーに対して前記押圧力を伴って対峙することを特徴とするローラーホルダーユニット。
【請求項８】
前記ホルダーとして、第１ホルダーおよび第２ホルダーを備え、
前記第１ホルダーは、前記媒体分離ローラーを支持し、
前記第２ホルダーは、前記媒体分離ローラーのローラー回転中心線に平行なホルダー回動中心線回りに回動可能な状態で、前記第１ホルダーに連結され、
前記付勢部材は、前記第１ホルダーを、前記第２ホルダーに対して、前記ホルダー回動中心線を中心とする一方の回動方向に付勢しており、
前記第１ホルダーは、前記ユニット装着部によって、前記ホルダー回動中心線回りに回動可能に支持され、かつ、前記ローラー回動中心線に直交する方向から着脱可能に支持され、
前記第２ホルダーは、前記ユニット装着部によって、前記ホルダー回動中心線回りの所定の回動位置に、着脱可能に係止される請求項７に記載のローラーホルダーユニット。
【請求項９】
前記第１ホルダーは、前記付勢部材の付勢力によって、前記第２ホルダーに対して、前記回動方向から係合可能な係合部を備えている請求項８に記載のローラーホルダーユニット。
【請求項１０】
前記第１ホルダーは、前記ホルダー回動中心線を規定する支軸を備え、
前記支軸の軸直角断面形状は、直交方向の一方が広幅部分で、他方が前記広幅部分よりも細い細幅部分となる形状であり、
前記支軸は、前記ユニット装着部によって、前記ローラー回動中心線と交差する方向から着脱可能、かつ、前記ホルダー回動中心線回りに回動可能に支持される請求項８または９に記載のローラーホルダーユニット。
【請求項１１】
前記第２ホルダーは、前記ユニット装着部に対して、前記ホルダー回動中心線を中心として前記回動方向とは逆の方向から係止可能なホルダー側係止部を備え、
前記ホルダー側係止部は、前記ユニット装着部に対する係止が解除される方向に弾性変位可能である請求項８ないし１０のうちのいずれか一つの項に記載のローラーホルダーユニット。
【請求項１２】
前記第１ホルダーは、前記ユニット装着部に対して、前記回動方向とは逆の方向から当接可能なホルダー側当接部を備えている請求項８ないし１１のうちのいずれか一つの項に記載のローラーホルダーユニット。
【請求項１３】
シート状媒体の搬送路と、
前記搬送路の一方の側に配置される媒体搬送ローラーと、
前記搬送路の他方の側に配置され、前記媒体搬送ローラーに対して所定の押圧力を伴って対峙する媒体分離ローラーと、
請求項１ないし６のうちのいずれか一つの項に記載の前記媒体分離ローラー装着機構と、
を有していることを特徴とする媒体搬送装置。
【請求項１４】
シート状媒体の搬送路と、
前記搬送路の一方の側に配置される媒体搬送ローラーと、
前記搬送路の他方の側に配置され、前記媒体搬送ローラーに対して所定の押圧力を伴って対峙する媒体分離ローラーと、
請求項１ないし６のうちのいずれか一つの項に記載の前記媒体分離ローラー装着機構と、
前記搬送路を搬送されるシート状媒体に印刷を行う印刷ヘッドと、
を有していることを特徴とするプリンター。
【発明の詳細な説明】
【技術分野】
【０００１】
本発明は、重送状態のシート状媒体を分離する媒体分離ローラーを、媒体搬送路ローラーに対峙した位置に装着する媒体分離ローラー装着機構に関する。また、当該媒体分離ローラー装着機構を構成するローラーホルダーユニットに関する。さらに、当該媒体分離ローラー装着機構を備えた媒体搬送装置およびプリンターに関する。
【背景技術】
【０００２】
記録紙等のシート状の媒体の重送防止のための媒体分離機構としては、媒体分離ローラーを備えた機構が知られている。媒体分離ローラーは一般にリタードローラーと呼ばれ、当該ローラーを備えた機構はリタード分離機構と呼ばれている。リタード分離機構では、媒体が搬送ローラーとリタードローラーのニップ部に送り込まれると、当該媒体は、リタードローラーの摩擦力によって大きな送り負荷が与えられた状態で、搬送ローラーによって送り出される。リタードローラーは、摩耗による媒体分離力の低下等の経年劣化が発生しやすい。このために、リタードローラーは交換可能な状態で、プリンター等の機器に組み込まれる。
【０００３】
特許文献１および２には、交換可能に組み込まれたリタードローラーを備えたシート給紙装置および記録装置が開示されている。特許文献１に開示のシート給紙装置では、リタードローラー取付け部材をビスにより装置側に固定しておき、ビスを外して、リタードローラーを交換できるようにしている。特許文献２に開示の記録装置では、リタードローラーがローラー軸方向にスライド可能となっており、リタードローラーを紙経路から取り外す際には、リタードローラーを固定位置から解除位置にスライドさせるようにしている。
【先行技術文献】
【特許文献】
【０００４】
【特許文献１】特開平０６−１９１６７０号公報
【特許文献２】特開２０１２−０７１９１８号公報
【発明の概要】
【発明が解決しようとする課題】
【０００５】
ここで、特許文献１に開示のリタードローラーの交換機構では、リタードローラーを交換するためにはドライバー等の工具が必要である。よって、リタードローラーの交換を簡単に行うことができない。特許文献２に開示のリタードローラーの交換機構では、リタードローラーを交換する際に、リタードローラーをローラー軸方向にスライドさせる必要がある。紙経路内にリタードローラーを固定位置から解除位置にスライドさせるスライド機構およびスライドさせるためのスペースを設ける必要がある。よって、装置の小型化には不利である。
【０００６】
さらに、リタードローラーは、バネ等の付勢部材によって、所定の押圧力で搬送ローラーあるいは給紙ローラーに押圧された状態に組み付けられる。リタードローラーの交換時には、リタードローラーを搬送ローラーあるいは給紙ローラーから押圧力に逆らって離し、この状態でリタードローラーを外す必要がある。押圧力が加わった状態でリタードローラーの着脱を行う必要があるので、その交換作業を簡単に行うことができない。
【０００７】
本発明の課題は、このような点に鑑みて、媒体分離ローラーの交換作業を簡単に行うことのできる媒体分離ローラー装着機構、ローラーホルダーユニット、並びに、当該媒体分離ローラー装着機構を備えた媒体搬送装置およびプリンターを提案することにある。
【０００８】
また、本発明の課題は、設置スペースを多く必要とすることなく、媒体分離ローラーの交換作業を簡単に行うことのできる媒体分離ローラー装着機構、ローラーホルダーユニットおよびユニット装着部、並びに、当該媒体分離ローラー装着機構を備えた媒体搬送装置およびプリンターを提案することにある。
【０００９】
さらに、本発明の課題は、媒体分離ローラーに作用する押圧力の影響を受けることなく簡単に媒体分離ローラーの交換を行うことのできる媒体分離ローラー装着機構、ローラーホルダーユニットおよびユニット装着部、並びに、当該媒体分離ローラー装着機構を備えた媒体搬送装置およびプリンターを提案することにある。
【課題を解決するための手段】
【００１０】
上記の課題を解決するために、本発明は、シート状媒体を搬送する媒体搬送ローラーに対峙する位置に、媒体分離ローラーを着脱可能に装着する媒体分離ローラー装着機構であって、前記媒体搬送ローラーが配置されている装置本体部の側に設けたユニット装着部と、前記ユニット装着部に対して着脱可能なローラーホルダーユニットと、を有し、前記ローラーホルダーユニットは、前記媒体分離ローラーと、前記媒体分離ローラーに、前記媒体搬送ローラーに向けての押圧力を付与する付勢部材と、前記媒体分離ローラーおよび前記付勢部材を支持するホルダーと、を備え、前記ユニット装着部は、前記ホルダーを着脱可能に支持するホルダー装着部を備えていることを特徴とする。
【００１１】
本発明の媒体分離ローラー装着機構では、媒体分離ローラーおよび付勢部材をユニット化した形態で、ユニット装着部に対して着脱可能である。媒体分離ローラーをユニット化することにより、媒体分離ローラーを単体で着脱する場合に比べて、媒体分離ローラーがローラー装着部の周辺の部位に当って破損するなどの弊害を防止でき、サイズの小さな媒体分離ローラー等の場合であっても、その交換作業が容易になる。
【００１２】
また、媒体分離ローラーを支持している第１ホルダーは、付勢部材によってホルダー回動中心線回りに付勢されている。ローラーホルダーユニットをユニット装着部に装着すると、第１ホルダーはホルダー回動中心線を中心として回動可能な状態でユニット装着部に取り付けられ、付勢部材の付勢力によって所定の回動方向に付勢された状態になる。よって、第１ホルダーに支持されている媒体分離ローラーは、当該付勢力によって、所定の押圧力を伴って、媒体搬送ローラーに対峙した状態になる。
【００１３】
このように、媒体分離ローラーを媒体搬送ローラーに向けて押圧する押圧力を発生させるための付勢部材もローラーホルダーユニットに組み込まれている。よって、押圧力に逆らって媒体分離ローラーの着脱作業を行う必要がない。また、媒体分離ローラーの着脱時に、当該ローラーに押圧力を付与している付勢部材の着脱作業も不要である。よって、媒体分離ローラーの着脱作業（交換作業）を簡単に行うことができる。
【００１４】
本発明の媒体分離ローラー装着機構において、前記第１ホルダーは、前記付勢部材の付勢力によって、前記第２ホルダーに対して、前記回動方向から係合可能な係合部を備えていることが望ましい。
【００１５】
ローラーホルダーユニットは、ユニット装着部に装着する前の状態において、付勢部材の付勢力によって、第１ホルダーが第２ホルダーに係合した状態に保持可能である。第１、第２ホルダーが個別に揺れて相互に衝突するなどのおそれがないので、ローラーホルダーユニットの取り扱いが容易である。また、第１、第２ホルダーが一体となっているので、ローラーホルダーユニットをユニット装着部に位置決めする作業も容易になる。
【００１６】
本発明の媒体分離ローラー装着機構において、前記第１ホルダーは、前記ホルダー回動中心線を規定する支軸を備え、前記第１ホルダー装着部は、前記支軸を回動可能な状態で支持する軸溝、および、当該軸溝に形成され、前記ローラー回動中心線と交差する方向（例えば直交する方向）に開口する溝開口部を備え、前記支軸の軸直角断面形状は、直交方向の一方が広幅部分で、他方が前記広幅部分よりも細い細幅部分となる形状であり、前記溝開口部の溝幅は、前記支軸の前記細幅部分が通過可能で、前記広幅部分が通過できない幅に設定されていることが望ましい。
【００１７】
ローラーホルダーユニットにおける第１ホルダーの支軸の細幅部分を、ユニット装着部における第１ホルダー装着部の軸溝の溝開口部に対して位置決めし、この状態で、支軸を軸溝に挿入できる。したがって、ローラーホルダーユニットの第１ホルダーをユニット装着部の第１ホルダー装着部に取り付ける作業を簡単な操作によって行うことができる。
【００１８】
この場合、前記第２ホルダー装着部は装着部側係止部を備え、前記第２ホルダーは、前記装着部側係止部に対して、前記ホルダー回動中心線を中心として前記回動方向とは逆の方向から係止可能なホルダー側係止部を備え、前記ホルダー側係合部は、前記装着部側係止部に対する係止が解除される方向に弾性変位可能であることが望ましい。
【００１９】
第１ホルダーの支軸を第１ホルダー支持部の軸溝に挿入すると、軸溝に挿入された支軸を中心として（ホルダー回動中心線を中心として）、第１、第２ホルダーは回動可能である。この状態で、第２ホルダーを、当該第２ホルダーのホルダー側係止部が装着部側係止部を超える位置まで回動させる。これにより、第２ホルダーのホルダー側係止部を装着部側係止部に係止することができる。このように、第１ホルダーの支軸を第１ホルダー装着部の軸溝に挿入する挿入操作と、支軸を軸溝に挿入した後に第２ホルダーを回動する回動操作を行うことで、ローラーホルダーユニットがユニット装着部に装着される。ローラーホルダーユニットをユニット装着部から取り外す場合には、第２ホルダーのホルダー側係止部を弾性変位させて装着部側係止部から外し、しかる後に、軸溝から第１ホルダーの支軸を外せばよい。
【００２０】
ドライバー等の工具を用いることなく、簡単な操作により、ローラーホルダーユニットをユニット装着部に対して着脱できる。また、着脱操作においては、ローラーホルダーユニットをユニット装着部に対して、ホルダー回動中心線と交差する方向（例えば、ホルダー回動中心線に直交する方向）に第１ホルダーの支軸を移動し、当該ホルダー回動中心線回りに第２ホルダーを回動すればよい。よって、媒体分離ローラーの軸線方向に当該媒体分離ローラーをスライドさせる操作を行う場合のように、媒体分離ローラーが配置されている搬送路の部分に、媒体分離ローラー着脱用の大きなスペースを確保する必要がない。よって、設置スペースが少なくて済むコンパクトな媒体分離ローラー装着機構を実現できる。
【００２１】
本発明の媒体分離ローラー装着機構において、前記第１ホルダーはホルダー側当接部を備え、前記ユニット装着部は、前記第１ホルダー装着部に支持された前記第１ホルダーの前記ホルダー側当接部に当接して、前記第１ホルダーを前記回動方向とは逆の方向に回動可能な装着部側当接部を備えていることが望ましい。
【００２２】
媒体の搬送動作において、媒体搬送ローラーと媒体分離ローラーのニップ部を通る経路に沿って媒体が搬送されていない場合がある。このような場合には、媒体分離ローラーによる送り負荷が媒体搬送ローラーに作用しないように、媒体分離ローラーを媒体搬送ローラーから離しておくことが望ましい。媒体分離ローラーを支持している第１ホルダーにホルダー側当接部を配置し、第１ホルダーを媒体搬送ローラーの側から退避させることで、このような媒体分離ローラーの退避動作を簡単に実現できる。
【００２３】
次に、本発明は、シート状媒体を搬送する媒体搬送ローラーが配置されている装置本体部の側に設けたユニット装着部に着脱可能に装着されるローラーホルダーユニットであって、媒体分離ローラーと、前記媒体分離ローラーに、前記媒体搬送ローラーに向けての押圧力を付与する付勢部材と、前記媒体分離ローラーおよび前記付勢部材を支持するホルダーと、を備え、前記ユニット装着部に装着されると、前記媒体分離ローラーは前記媒体搬送ローラーに対して前記押圧力を伴って対峙することを特徴とする。
【００２４】
ここで、本発明のローラーホルダーユニットにおいて、前記ホルダーとして、第１ホルダーおよび第２ホルダーを備え、前記第１ホルダーは、前記媒体分離ローラーを支持し、前記第２ホルダーは、前記媒体分離ローラーのローラー回転中心線に平行なホルダー回動中心線回りに回動可能な状態で、前記第１ホルダーに連結され、前記付勢部材は、前記第１ホルダーを、前記第２ホルダーに対して、前記ホルダー回動中心線を中心とする一方の回動方向に付勢しており、前記第１ホルダーは、前記ユニット装着部によって、前記ホルダー回動中心線回りに回動可能に支持され、かつ、前記ローラー回動中心線と交差する方向（例えば直交する方向）から着脱可能に支持され、前記第２ホルダーは、前記ユニット装着部によって、前記ホルダー回動中心線回りの所定の回動位置に、着脱可能に係止されることが望ましい。
【００２５】
また、前記第１ホルダーは、前記付勢部材の付勢力によって、前記第２ホルダーに対して、前記回動方向から係合可能な係合部を備えていることが望ましい。
【００２６】
さらに、前記第１ホルダーは、前記ホルダー回動中心線を規定する支軸を備え、前記支軸の軸直角断面形状は、直交方向の一方が広幅部分で、他方が前記広幅部分よりも細い細幅部分となる形状であり、前記支軸は、前記ユニット装着部によって、前記ローラー回動中心線と交差する方向（例えば直交する方向）から着脱可能、かつ、前記ホルダー回動中心線回りに回動可能に支持されることが望ましい。
【００２７】
また、前記第２ホルダーは、前記ユニット装着部に対して、前記ホルダー回動中心線を中心として前記回動方向とは逆の方向から係止可能なホルダー側係止部を備え、
前記ホルダー側係止部は、前記ユニット装着部に対する係止が解除される方向に弾性変位可能であることが望ましい。
【００２８】
さらに、前記第１ホルダーは、前記ユニット装着部に対して、前記回動方向とは逆の方向から当接可能なホルダー側当接部を備えていることが望ましい。
【００２９】
次に、本発明の媒体搬送装置は、シート状媒体の搬送路と、前記搬送路の一方の側に配置される媒体搬送ローラーと、前記搬送路の他方の側に配置され、前記媒体搬送ローラーに対して所定の押圧力を伴って対峙する媒体分離ローラーと、上記構成の分離ローラーの装着機構と、を有していることを特徴とする。
【００３０】
また、本発明のプリンターは、シート状媒体の搬送路と、前記搬送路の一方の側に配置される媒体搬送ローラーと、前記搬送路の他方の側に配置され、前記媒体搬送ローラーに対して所定の押圧力を伴って対峙する媒体分離ローラーと、上記構成の分離ローラーの装着機構と、前記搬送路を搬送されるシート状媒体に印刷を行う印刷ヘッドと、を有していることを特徴とする。
【図面の簡単な説明】
【００３１】
【図１】本発明を適用したプリンターを示す前側斜視図である。
【図２】図１のプリンターの後側斜視図である。
【図３】図１のプリンターの概略縦断面図および部分断面図である。
【図４】図１のプリンターの後側斜視図であり、反転ユニットを開けた状態を示す。
【図５】リタードローラー交換用の開口部を示す説明図である。
【図６】リタードローラーが装着されているローラー装着部を示す説明図である。
【図７】リタードローラーが装着されているローラー装着部を示す説明図である。
【図８】ローラーホルダーユニットを示す図である。
【図９】第１ホルダーを示す図である。
【図１０】第２ホルダーを示す図である。
【発明を実施するための形態】
【００３２】
以下に、図面を参照して、本発明の実施の形態を説明する。以下の実施の形態は、本発明を両面印刷可能な反転ユニットを備えたプリンターに適用したものである。本発明は、反転ユニットを備えたプリンター以外のプリンター、および、プリンター以外のスキャナー、ファクシミリ等の機器にも適用可能である。また、プリンター等の機器に組み込まれているシート状媒体の搬送装置、あるいは、プリンター等の機器にシート状媒体を供給する媒体搬送装置に対しても同様に適用可能である。
【００３３】
［プリンターの全体構成］
図１は本実施の形態に係るインクジェットプリンター（以下、単に「プリンター」という。）を前方から見た場合の外観斜視図であり、図２はプリンターを後方から見た場合の外観斜視図である。また、図３（ａ）はプリンターの内部構成を示す概略縦断面図であり、図３（ｂ）は部分縦断面図である。
【００３４】
図１、図２を主に参照して、プリンター１の全体的な形状を説明する。プリンター１は、プリンター本体部２と反転ユニット３を備えている。プリンター本体部２は、全体としてプリンター幅方向Ｘに長い直方体形状をしており、その背面の中央部分には凹部４が形成されており、ここに、反転ユニット３が装着されている。反転ユニット３は、シート状の媒体である印刷用紙（以下、単に「用紙」という。）の表裏を反転させた状態で当該用紙をプリンター本体部２に戻すためのユニットである。また、反転ユニット３は、後述のように開閉式の反転ユニットであり、そのプリンター上下方向の下端部分を中心として、プリンター前後方向Ｙの後方に開けることが可能である。
【００３５】
プリンター本体部２の前面には、給紙カセット装着部５が設けられている。給紙カセット装着部５は、プリンター本体部２の前面におけるプリンター上下方向Ｚの下側部分において、プリンター前後方向Ｙの前方に開口している。給紙カセット装着部５には、前方から給紙カセット６が着脱可能に装着されている。給紙カセット装着部５の上側には排紙トレイ７が取り付けられている。排紙トレイ７は前方に略水平に突出している。排紙トレイ７の上側には、プリンター後方に延びる矩形の排紙口８が形成されている。
【００３６】
排紙口８の上側のプリンター前面部分は操作面９となっている。操作面９には、電源スイッチ９ａ、複数の状態表示ランプ９ｂ等が配列されている。排紙トレイ７および排紙口８の両側のプリンター前面部分には、矩形の開閉蓋１０ａ、１０ｂが取り付けられている。これらの開閉蓋１０ａ、１０ｂを開けると、インクカートリッジ装着部（図示せず）が開口し、インクカートリッジ（図示せず）の交換等を行うことができる。プリンター上面部分は略平坦な面となっており、その中央部分には、メンテナンス用の開閉蓋１１が取り付けられている。
【００３７】
［プリンターの内部構成］
図３を参照して、プリンター１の内部構成、特に、用紙搬送経路を説明する。プリンター１の内部には、用紙供給路１２、本体側搬送路１３および反転用搬送路１４が形成されている。用紙供給路１２および本体側搬送路１３は、プリンター本体部２の内部に形成されており、反転用搬送路１４は反転ユニット３の内部に形成されている。
【００３８】
用紙供給路１２は、給紙カセット６に積層状態で収納されている所定寸法の用紙Ｐを本体側搬送路１３に供給する搬送経路である。用紙供給路１２は、給紙カセット装着部５におけるプリンター前後方向Ｙの後端部分から、プリンター後方に向けて斜め上方に延び、プリンター前方に湾曲して、本体側搬送路１３に繋がっている。給紙カセット６に収納されている用紙Ｐは、給紙ローラー１５によって用紙供給路１２に送り出される。送り出された用紙は、媒体分離ローラーであるリタードローラー１６と搬送ローラー１７のニップ部を介して１枚ずつ送り出される。リタードローラー１６と搬送ローラー１７のニップ部を介して送り出された用紙Ｐは、搬送ローラー１７と従動ローラー１８のニップ部を介して、本体側搬送路１３に向けて搬送される。
【００３９】
本体側搬送路１３は、プリンター前後方向Ｙに略水平に延びて排紙口８に至る搬送経路である。本体側搬送路１３に沿って、その用紙搬送方向の上流側から順に、用紙検知レバー２０、紙送りローラー対２１、印刷ヘッド２２、第１排紙ローラー対２３および第２排紙ローラー対２４が配置されている。印刷ヘッド２２はインクジェットヘッドであり、そのノズル面に対して一定のギャップでプラテン２５が配置されている。
【００４０】
用紙供給路１２から本体側搬送路１３に送り込まれた用紙は、搬送ローラー１７によって、用紙検知レバー２０を押し上げながら紙送りローラー対２１に送り込まれる。紙送りローラー対２１に送り込まれた用紙は、紙送りローラー対２１によって印刷ヘッド２２の印刷位置を経由して、第１排紙ローラー対２３に向けて搬送される。第１排紙ローラー対２３に送り込まれた用紙は、第１排紙ローラー対２３および第２排紙ローラー対２４を経由して、排紙口８から排紙トレイ７に排出される。
【００４１】
一方、反転ユニット３の内部に形成されている反転用搬送路１４は、本体側搬送路１３に対して、プリンター上下方向Ｚの下側に配置されており、全体として、プリンター上下方向Ｚにループを描く搬送経路である。反転用搬送路１４は、本体側搬送路１３の上流端に連続して、プリンター前後方向Ｙの後方に略水平に延びる上側経路２６、この上側経路２６に連続してプリンター上下方向Ｚの下方に湾曲して直線状に延びる下向き経路２７、この下向き経路２７に連続してプリンター前後方向Ｙの前方に湾曲して延びる下側経路２８、および、この下側経路２８から上方に湾曲して延びる上向き経路２９を備えている。
【００４２】
上向き経路２９は、その上側の部分がプリンター前方に斜めに湾曲して、上記の用紙供給路１２の途中位置に合流している。したがって、上向き経路２９と用紙供給路１２の下流側の部分は、共通経路３０となっている。この共通経路３０は、用紙搬送ローラー１７の外周面に沿って延びる湾曲経路である。
【００４３】
上側経路２６と下向き経路２７の間には、第１搬送ローラー３１および従動ローラー３２が配置され、下側経路２８と上向き経路２９の間には、第２搬送ローラー３３および従動ローラー３４が配置されている。本体側搬送路１３から反転用搬送路１４に送り込まれる用紙は、第１搬送ローラー３１と従動ローラー３２のニップ部に送り込まれ、第１搬送ローラー３１によって、第２搬送ローラー３３と従動ローラー３４のニップ部に送り込まれ、第２搬送ローラー３３によって、搬送ローラー１７と従動ローラー１８のニップ部に送り込まれる。この後は、用紙は、搬送ローラー１７によって、再び本体側搬送路１３に送り込まれる。
【００４４】
ループ状の反転用搬送路１４を経由することで、用紙は、表裏が反転した状態で本体側搬送路１３に戻される。したがって、反転用搬送路１４を経由させることで、用紙の両面印刷を行うことができる。
【００４５】
ここで、本体側搬送路１３の下流端、反転用搬送路１４の上流端、および共通経路３０の下流端の合流部３５には、経路切替フラップ３６が配置されている。経路切替フラップ３６は、そのプリンター前後方向Ｙの後端部を中心として、プリンター上下方向Ｚに回動可能な状態で配置されている。経路切替フラップ３６は、通常の状態では、その自重によって、プリンター前後方向Ｙの前側のフラップ本体部分が搬送ローラー１７の外周面に載った第１切替位置の状態に保持される。
【００４６】
この状態において、本体側搬送路１３の側からバックフィードされる用紙は、経路切替フラップ３６によって反転用搬送路１４の側に案内される。用紙は、反転用搬送路１４を経由して、再び合流部３５に戻る。経路切替用フラップ３６は、合流部３５に戻る用紙によって押し上げられて、第１切替位置から第２切替位置に移動可能である。経路切替用フラップ３６が第２切替位置に押し上げられると、反転用搬送路１４の下流端側の共通経路３０が本体側搬送路１３に連通する。したがって、用紙は、経路切替用フラップ３６を押し上げながら、本体側搬送路１３に送り込まれる。用紙が通過した後は、経路切替用フラップ３６は、再び、自重により第１切替位置に戻る。
【００４７】
給紙カセット６から用紙を供給する場合にも、同様に、用紙供給路１２から本体側搬送路１３に向かう用紙によって経路切替フラップ３６が押し上げられる。用紙が通過した後は、経路切替フラップ３６は自重により第１切替位置に戻る。よって、本体側搬送路１３からバックフィードされる用紙が、共通経路３０を介して、反転用搬送路１４あるいは用紙供給路１２の側に入り込んでしまうことが無い。また、用紙の経路の切り替えを、駆動源、付勢部材等を用いることなく、簡単な構成で行うことができる。
【００４８】
［開閉式の反転ユニット］
図４はプリンター１を後方から見た場合の外観斜視図であり、反転ユニット３が開き位置にある状態を示す。
【００４９】
図２および図４から分かるように、反転ユニット３は、プリンター上下方向Ｚの下端部分に位置する開閉中心線４０を中心として、開閉可能である。図２に示す閉じ位置３Ａにおいては、反転ユニット３はプリンター上下方向Ｚに起立した姿勢となり、そのユニットケース４１の背面カバー４２がプリンター本体部２の左右の背面部分とほぼ同一面上に位置する。図４に示す開き位置３Ｂにおいては、反転ユニット３は、プリンター前後方向Ｙの後方に略水平に倒れた姿勢となる。開き位置３Ｂでは、図４から分かるように、反転用搬送路１４における下流側の上向き経路２９および共通経路３０が開放状態になる。これらの経路における用紙詰まり等の不具合を、反転ユニット３を開けることで簡単に処理できる。
【００５０】
反転ユニット３は、図２に示すように、その背面カバー４２のプリンター上下方向Ｚの上端側の部分の中央に開口部４２ａが形成されている。開口部４２ａからは、一対のレバー操作部４３が露出している。一対のレバー操作部４３を相互に接近させる方向に操作すると、反転ユニット３の左右の側面から側方に突出している左右のロック片４４（図４参照）が装置本体部２の左右の側面に形成されているロック穴４５（図４参照）から外れる。これにより、反転ユニット３は、ロックが解除され、開けることが可能になる。
【００５１】
［リタードローラー交換用の開口部］
図５はリタードローラー１６の交換用の開口部を示す説明図である。図５に示すように、反転ユニット３を開けると、反転用搬送路１４の一部である上向き経路２９および共通経路３０が開放状態になる。共通経路３０における装置本体部２の側の搬送路面を規定している搬送ローラー１７の外周面部分も露出する。
【００５２】
上向き経路２９は、装置本体部２の側に配置されている搬送ガイド板６１と、反転ユニット３の側に配置されている搬送ガイド板６２の間に形成される。これら搬送ガイド板６１、６２には、表面に用紙搬送方向に平行に延びる複数条のリブ６１ａ、６２ａが形成されている。これらのリブ６１ａ、６２ａの先端面によって、上向き経路２９における装置本体側の搬送ガイド面および反転ユニット側の搬送ガイド面が規定されている。
【００５３】
装置本体部２の側の搬送ガイド板６１は、プリンター幅方向Ｘの両側に位置する搬送ガイド板６３、６４と、これらの間に位置する搬送ガイド板６５を備えている。プリンター幅方向Ｘの中央部分に位置する搬送ガイド板６５は、図５に示すように、プリンター上下方向Ｚの上方に取り外し可能な状態で、両側の搬送ガイド板６３、６４の間に配置されている。本例では、搬送ガイド板６５の両端面にスライドレール６５ａが形成され、両側の搬送ガイド板６３、６４の内側の端面には、スライドレール６５ａをガイドする複数のガイド用突起６７ａ、６７ｂ、６７ｃがそれぞれ形成されている。
【００５４】
搬送ガイド板６５を図の矢印で示すように上方にスライドさせて、両側の搬送ガイド板６３、６４から外すと、これらの間に形成されているリタードローラー交換用の開口部６８が開放状態になる。この開口部６８からは、装置本体部２に組み込まれているリタードローラーの装着部であるユニット装着部７０が露出する。ユニット装着部７０にはリタードローラー１６（図３参照）を保持しているローラーホルダーユニット９０が着脱可能な状態で装着されている。ローラーホルダーユニット９０は、開口部６８を介して、開放状態の反転用搬送路１４の部分（上向き経路２９）の側から着脱可能な状態で、ユニット装着部７０に装着されている。なお、以下の説明では、ローラーホルダーユニット９０を単に「ユニット９０」として説明する。
【００５５】
図６（ａ）、（ｂ）は、ユニット装着部７０からユニット９０を取り外す操作を示す説明図である。ユニット装着部７０およびユニット９０の具体的な構造の説明に先立って、ユニット装着部７０からユニット９０を取り外す操作を、図４、図５および図６を参照して説明する。
【００５６】
ユニット９０をユニット装着部７０から外す場合には、まず、反転ユニット３を図４に示すように開ける。次に、図５において矢印で示すように、搬送ガイド板６５を上方にスライドして、装置本体部２から外す。次に、図６（ａ）において矢印で示すように、ユニット９０の係止板１２３（ホルダー側係止部）を上方に弾性変位させて、当該係止板１２３をユニット装着部７０の側の係止溝７７（装着部側係止部）から上方に外す。係止板１２３が係止溝７７から上方に外れると、ユニット９０を、その上端側に配置されている両側の支軸１０４を中心として、図６（ｂ）に示すように上方に回動させることができる。ユニット９０を所定量だけ上方に回動すると、その両側の支軸１０４を、ユニット装着部７０の側の軸溝７３から後方に外すことができる。ローラーホルダーユニット９０の両側の支軸１０４をユニット装着部７０の両側の軸溝７３から外すと、ユニット９０がユニット装着部７０から完全に外れ、開口部６８を介して、装置本体部２から取り出すことができる。
【００５７】
［ユニットおよびユニット装着部］
図７、図８、図９および図１０を参照して、ユニット９０およびユニット装着部７０の構造を説明する。図７は、ユニット９０が装着されている装置本体部２の側のユニット装着部７０を示す説明図である。図８（ａ）〜（ｄ）は、ユニット９０を示す前側斜視図、後側斜視図、側面図および断面図である。図９（ａ）〜（ｃ）は、それぞれ、ユニット９０の構成部品である第１ホルダーを示す前側斜視図、後側斜視図および側面図である。図１０（ａ）〜（ｃ）は、それぞれ、ユニット９０の構成部品である第２ホルダーを示す前側斜視図、後側斜視図および側面図である。
【００５８】
以下の説明においては、装置本体部２に装着された状態でのユニット９０におけるプリンター前後方向Ｙ、プリンター幅方向Ｘおよびプリンター上下方向Ｚを、それぞれ、前後方向、幅方向および上下方向として説明する。また、本例のユニット９０は幅方向において左右対称な形状をしており、左右対称な構成部品から構成されている。したがって、左右の対応する部位は同一の符号を用いて説明する。
【００５９】
図８を参照してユニット９０の全体構成を説明する。ユニット９０は、リタードローラー１６、第１ホルダー１００、第２ホルダー１１０および引張コイルバネ１３０を備えている。第１ホルダー１００は、リタードローラー１６を支持している。第２ホルダー１１０は、リタードローラー１６のローラー回転中心線１６ａに平行なホルダー回動中心線１００ａを中心として回動可能な状態で、第１ホルダー１００に連結されている。引張コイルバネ１３０は、第１ホルダー１００と第２ホルダー１１０の間に架け渡されている。引張コイルバネ１３０によって、第１ホルダー１００は、第２ホルダー１１０に対して、ホルダー回動中心線１００ａを中心として、図において時計回りの方向である第１回動方向Ａに付勢されている。また、第１ホルダー１００には、その両端に、係合ピン１０５が配置されている。これらの係合ピン１０５は、引張コイルバネ１３０の引張バネ力によって、第１回動方向Ａから、第２ホルダー１１０の両端に形成した係合端面１１８ａに係合している。
【００６０】
図８および図９を参照して第１ホルダー１００の構造を説明する。第１ホルダー１００は、一定の間隔でホルダー前後方向に平行に延びる端板１０１を備えている。端板１０１は、ホルダー上下方向の上端から下方に向かって前後に広がる略三角形輪郭の頭部１０２を備えている。頭部１０２の上端の角部分の間には、これらに直交する幅方向に延びる通し軸１０３が架け渡されている。端板１０１の外側の端面からは、通し軸１０３と同軸の状態で、支軸１０４が外方に突出している。支軸１０４は端板１０１に繋がっている部分が円形軸部１０４ａであり、先端側の部分が、一方に湾曲した偏平な断面形状をした偏平軸部１０４ｂとなっている。すなわち、偏平軸部１０４ｂでは、その軸直角断面形状が、直交方向の一方が広幅部分で、他方が細幅部分となる形状となっている。偏平軸部１０４ｂの両側部分は円形軸部１０４ａと同一外径の円弧面１０４ｂとなっている。
【００６１】
端板１０１の頭部１０２における前方に突出している角部分の間には、これらに直交する幅方向に、リタードローラー１６が架け渡されている（図８参照）。また、端板１０１の頭部１０２における後側の部位には、ホルダー回動中心線１００ａに平行に延びる係合ピン１０５が形成されている。
【００６２】
端板１０１の頭部１０２の下端の後側部分からは、矩形輪郭の脚部１０６が下方に延びている。脚部１０６の外側の端面には、ホルダー回動中心線１００ａに平行に延びるホルダー側当接軸１０７が形成されている。ホルダー側当接軸１０７の前側の外周面は円弧状の当接面１０７ａとなっている。左右の端板１０１における脚部１０６の上端部の間は、端板１０１に直交する方向に延びる連結板１０８によって連結されている。連結板１０８における幅方向の中央部分には、下方に延びる後側バネ掛け１０９が形成されている。後側バネ掛け１０９には、引張コイルバネ１３０のホルダー前後方向の後端１３２が後側から掛止される。
【００６３】
次に、図８および図１０を参照して、第２ホルダー１１０の構造を説明する。第２ホルダー１１０は、第１ホルダー１００の左右の端板１０１の間に配置可能な幅のホルダーである。第２ホルダー１１０は、上下方向の途中位置で折れ曲っている背板１１１を備えている。背板１１１は、矩形の下側背板部分１１２と、この上端縁から前方に直角に折れ曲がって延びる水平板部分１１３と、この前端縁から上方に直角に折れ曲がって延びる上側背板部分１１４とを備えている。上側背板部分１１４の上端縁には、前方に直角に折れ曲がって延びる天板部分１１５が形成されている。下側背板部分１１２における幅方向の中央部分には矩形の開口１１２ａが形成されている。水平板部分１１３から上側背板部分１１４の下側部分に亘って、それらの幅方向の中央部分に、矩形の開口１１３ａが形成されている。また、上側背板部分１１４の上側部分は、その下側部分に比べて幅が狭い。背板１１１の前面側においては、天板部分１１５と上側背板部分１１４の間には上下方向に延びる三角形の補強リブ１１６が形成されている。背板１１１の背面側においては、水平板部分１１３と上側背板部分１１４の間に、上下方向に延びる三角形の補強リブ１１７が形成されている。
【００６４】
背板１１１の幅方向の両側には、端板１１８が形成されている。端板１１８は、上側背板部分１１４の下側部分と天板部分１１５の両端面に架け渡された状態に形成されている。端板１１８には、天板部分１１５から上方に突出している軸連結部１１９が形成されている。軸連結部１１９は前後に二股に分かれており、その上端には、上方に開口した円形断面の軸溝１２０が形成されている。軸溝１２０には、上方から、第１ホルダー１００の通し軸１０３が回動可能な状態で差し込まれる。軸溝１２０に差し込まれた通し軸１０３は軸連結部１１９の弾性復帰力によって、軸溝１２０内に保持される。これにより、第１ホルダー１００と第２ホルダー１１０は、ホルダー回動軸線１００ａを中心として相対的に回動可能な連結状態が維持される。
【００６５】
端板１１８における上側背板部分１１４の狭い幅の上側部分に対応する部位には、係合端面１１８ａが形成されている。係合端面１１８ａは後方に向く端面であり、後側から第１ホルダー１００の係合ピン１０５が係合可能である。
【００６６】
背板１１１の下側背板部分１１２の前面には、前方に直線状に延びるバネ装着板１２１が形成されている。バネ装着板１２１は、上方に開口した溝形断面をしている。バネ装着板１２１の前端には、上方に突出した前側バネ掛け１２２が形成されている。バネ装着板１２１の後端には、下側背板部分１１２の開口１１２ａが位置している。図９から分かるように、バネ装着板１２１には引張コイルバネ１３０が装着され、引張コイルバネ１３０の前端１３１が前側から前側バネ掛け１２２に掛止される。
【００６７】
バネ装着板１２１の底面１２１ａにおける前後方向の中程の部位には、後方に向けて斜め下方に延びる係止板１２３が形成されている。係止板１２３の先端部は両側が切り取られた細幅の係止部１２３ａとなっている。係止板１２３は、バネ装着板１２１の底面１２１ａに接近する方向に弾性変位させることが可能である。
【００６８】
図８を参照して、第１ホルダー１００、第２ホルダー１１０および引張コイルバネ１３０の組み付け状態を説明する。第１ホルダー１００の後側から、当該第１ホルダー１００の端板１０１の間に第２ホルダー１１０が挿入されている。第１ホルダー１００の通し軸１０３は、上側から第２ホルダー１１０の軸溝１２０に差し込まれ、第１、第２ホルダー１００、１１０は、ホルダー回動中心線１００ａを中心として相対的に回動可能な状態で連結されている。第１ホルダー１００の係合ピン１０５は、第２ホルダー１１０の係合端面１１８ａの後側に位置する。第１ホルダー１００の連結板１０８に形成した後側バネ掛け１０９は、第２ホルダー１１０のバネ装着部１２１の後端側の部位に位置する。
【００６９】
引張コイルバネ１３０は、その前端１３１が第２ホルダー１１０の前側バネ掛け１２２に掛止され、その後端１３２が第１ホルダー１００の後側バネ掛け１０９に掛止されている。引張コイルバネ１３０は、所定の引張状態で前後のバネ掛け１２２、１０９の間に架け渡される。引張コイルバネ１３０の引張バネ力によって、第２ホルダー１１０に対して、第１ホルダー１００は、ホルダー回動中心線１００ａを中心として、第１回動方向Ａに付勢される。換言すると、第１ホルダー１００に対して前側から第２ホルダー１１０が押し付けられる。この結果、第１ホルダー１００の係合ピン１０５が後側から第２ホルダー１１０の係合端面１１８ａに当接した係合状態になる。よって、ユニット９０においては、第１ホルダー１００と第２ホルダー１１０が、ガタ付きの無い状態で相互に組み付けられた状態になる。
【００７０】
次に、図５〜図８を参照して、装置本体部２の側に配置されているユニット装着部７０の構造を説明する。ユニット装着部７０は、図５、図６から分かるように、搬送ローラー１７に対峙している装置本体部２の側の搬送ガイド板７１と、反転ユニット３の側の搬送ガイド板６１の間に配置されている。搬送ガイド板７１は用紙供給路１２の一方の用紙搬送面を規定しており、搬送ガイド６１は反転用搬送路１４の上向き経路２９の一方の用紙搬送面を規定している。搬送ローラー１７は、プリンター幅方向の中央部分に、両側のローラー１７ａよりも広幅の広幅ローラー１７ｂを備えている。広幅ローラー１７ｂに対峙する搬送ガイド板７１の部分は開口している。搬送ガイド板７１の背面側に位置する搬送ガイド板６１に形成されている開口部６８を介して、ユニット装着部７０にユニット９０を装着すると、リタードローラー１６が搬送ローラー１７の広幅ローラー１７ｂに対峙した状態になる。
【００７１】
ユニット装着部７０は、図７から分かるように、その上端部分における幅方向の両側の部位に、第１ホルダー装着部としての軸溝７３を備えている。軸溝７３は、ユニット９０の第１ホルダー１００の支軸１０４を、回動可能かつ着脱可能に支持可能である。軸溝７３は、開口部６８の両側端部に形成されており、プリンター後方に開口している。軸溝７３の内径は支軸１０４が回動可能な状態に保持される寸法とされている。軸溝７３のプリンター後方側に向く開口は、支軸１０４の円形軸部１０４ａを挿入可能な広幅の軸溝開口部分７３ａと、支軸１０４の偏平軸部１０４ｂの細幅部分を挿入可能な狭い幅の軸溝開口部分７３ｂとを備えている。図８（ａ）から分かるように、支軸１０４の偏平軸部１０４ｂは、その軸直角断面で見た場合に、前方に向かって斜め上方を向く形状をしている。したがって、図６（ｂ）に示すように、ユニット９０を斜めに傾けて、支軸１０４の偏平軸部１０４ｂを略水平にすると、軸溝７３に支軸１０４を挿入できる。支軸１０４を軸溝７３に挿入した後に、ユニット９０を図６（ａ）に示すように支軸１０４回りに回動させて垂直な姿勢にすると、支軸１０４が軸溝７３から外れない状態になる。
【００７２】
ユニット装着部７０は、その下端部分に、第２ホルダー装着部としての第２ホルダー係止部７４を備えている。第２ホルダー係止部７４は、底板７５と、一対の端板７６とによって形成された矩形の係止溝７７を備えている。底板７５はプリンター前後方向の延びる水平な板であり、端板７６は底板７５の後端の両側から上方に垂直に突出している。係止溝７７はプリンター前後方向に開口しており、その開口幅は、第２ホルダー１１０の係止板１２３よりも狭く、係止板１２３の先端に形成されている係止部１２３ａよりも広い。
【００７３】
ユニット装着部７０の軸溝７３から係止溝７７の上端（端板７６の上端）までの上下方向の距離は、第２ホルダー１１０における軸溝１２０から係止部１２３ａまでの上下方向の距離よりも短い。ユニット９０の支軸１０４をユニット装着部７０の軸溝７３に挿入し、ユニット９０を支軸１０４回りにプリンター前方に回動すると、ユニット９０の係止板１２３がユニット装着部７０の端板７６に当たる。係止板１２３は弾性変位可能であるので、係止板１２３を上方に弾性変位させることで、ユニット９０を図７に示すようにユニット装着部７０に装着した垂直な姿勢まで回動させることができる。係止板１２３が弾性復帰すると、その先端の係止部１２３ａが前側から係止溝７７に係止可能になる。
【００７４】
装着されたユニット９０のリタードローラー１６は搬送ローラー１７の広幅ローラー１７ｂに引張りコイルバネ１３０のバネ力によって押圧された状態になる。すなわち、第１、第２ホルダー１００、１１０の間には引張コイルバネ１３０が引張状態で架け渡されているので、第１ホルダー１００はプリンター前方に付勢されている。ユニット装着部７０に装着したユニット９０のリタードローラー１６は、引張コイルバネ１３０の付勢力で搬送ローラー１７の広幅ローラー１７ｂに向けて押圧された状態が形成される。この結果、バネ力を受ける第１ホルダー１１０は、その係止板１２３が係止溝７７に前側から係止され、ユニット装着部７０に対して移動不可の状態で取り付けられる。これに対して、リタードローラー１６を支持している第１ホルダー１００は、ユニット装着部７０に対してホルダー回動中心線１００ａ回りには、バネ力に逆らって回動可能である。
【００７５】
ここで、本例のプリンター１には、リタードローラー１６を搬送ローラー１７から離れる方向に退避させる退避機構１４０が備わっている。図７を参照して説明すると、退避機構１４０は、ユニット装着部７０の両側に配置した回動片１４１と、回動片１４１が取り付けられている回動軸１４２と、回動軸１４２を回動させる駆動機構１４３を備えている。回動片１４１は、プリンター後方を向く当接面１４１ａを備えている。ユニット９０の第１ホルダー１００は両側に当接軸１０７を備えている。ユニット装着部７０にユニット９０を装着すると、第１ホルダー１００の当接軸１０７は、後側から当接面１４１ａに対峙する。
【００７６】
退避機構１４０を駆動して回動片１４１を後方に回動させると、その当接面１４１ａが第１ホルダー１００の当接軸１０７の当接面１０７ａに当る。この後は、回動片１４１の回動に伴って、第１ホルダー１００は、ホルダー回動中心線１００ａを中心として、引張コイルバネ１３０の付勢力に逆らって、後方に回動させられる。この結果、第１ホルダー１００によって支持されているリタードローラー１６は、搬送ローラー１７から後方側に退避する。用紙Ｐを、反転用搬送路１４を介して本体側搬送路１３に戻す搬送動作等を行う場合には、リタードローラー１６による送り負荷が搬送ローラー１７に作用しないように、リタードローラー１６の退避動作が行われる。
【００７７】
以上説明したように、プリンター１においては、反転ユニット３を開けると開放状態に切り替わる反転用搬送路１４の経路部分に、リタードローラー交換用の開口部６８を設けてある。開口部６８は、搬送ガイド面を規定している搬送ガイド板６５によって封鎖されている。リタードローラー１６の交換時等においては、反転ユニット３を開き、搬送ガイド板６５を外し、開口部６８を開く。開口部６８からはユニット装着部７０に装着したユニット９０が露出する（図５参照）。
【００７８】
ユニット９０の係止部１２３ａを上方に弾性変位させると、係止部１２３ａがユニット装着部７０の係止溝から外れる。係止部１２３ａを持って、ユニット９０を上方に回動させると、ユニット９０の支軸１０４をユニット装着部７０の軸溝７３から後方（ホルダー回動中心線に直交する方向）に外すことが可能になる。この状態で、ユニット９０を後方に引き出すことにより、ユニット９０をユニット装着部７０から外すことができる（図６参照）。
【００７９】
このように、開放状態に切り替わる搬送路部分を利用して、当該搬送路部分に隣接配置されている用紙供給路１２に配置されているリタードローラー１６を交換している。開放状態の搬送路部分をリタードローラー交換場所として利用しているので、交換作業が容易である。また、リタードローラー１６が配置されている搬送路部分に、リタードローラー交換用のスペースを設ける必要がない。よって、リタードローラー１６が配置されている搬送路部分の設置スペースの増加を抑制できるので、プリンター１の小型化に有利である。さらに、プリンター１の外装ケースに、リタードローラー交換用の開口部を設ける場合等に比べて、開口部を大きく取ることが容易であるので、交換作業が容易になる。さらには、開口部を搬送ガイド板によって封鎖しておけばよいので、外装ケース等に開口部を設ける場合に比べて、開口部の開閉構造も簡単に構成できる。
【００８０】
次に、本例のユニット９０は、支軸１０４を中心として相対的に回動可能な状態で連結された第１、第２ホルダー１００、１１０と、第１、第２ホルダーの間に引張り状態で架け渡した引張コイルバネ１３０とを備えている。また、第２ホルダー１１０は係止部１２３ａを備え、係止部１２３ａを弾性変位させることで、ユニット９０をユニット装着部７０に対して着脱できる。ユニット９０をユニット装着部７０に装着した状態では、第２ホルダー１１０は移動不可の状態に保持され、第１ホルダー１００はホルダー回動中心線１００ａ回りに回動可能である。また、引張コイルバネ１３０によって、第１ホルダー１００は搬送ローラー１７の側に付勢されるので、第１ホルダー１００によって支持されているリタードローラー１６には、搬送ローラー１７に向けての押圧力が作用する。
【００８１】
このように、ユニット９０は、係止部１２３ａを操作することで、簡単にユニット装着部７０に対して着脱することができる。また、リタードローラー１６を搬送ローラー１７の側に押圧するための付勢力を発生する引張コイルバネ１３０が、ユニット９０内に組み込まれている。ユニット９０の着脱操作を、付勢力に逆らって行う必要がないので、ユニット９０の着脱操作が容易である。さらに、取り外したユニット９０においては、引張コイルバネ１３０のバネ力によって、第１ホルダー１００の係合ピン１０５が第２ホルダー１１０の係合端面１０８ａに当接している。よって、第１、第２ホルダー１００、１１０はガタツキなく組み付けられた状態に保持されるので、取り外した状態でのユニット９０の取り扱いも容易である。
【符号の説明】
【００８２】
１    プリンター、２    プリンター本体部（装置本体部）、３    反転ユニット、３Ａ  閉じ位置、３Ｂ  開き位置、４    凹部、４ａ  内側側面、４ｂ  内側側面、５    給紙カセット装着部、６    給紙カセット、７    排紙トレイ、８    排紙口、９    操作面、１０ａ，１０ｂ  開閉蓋、１１  開閉蓋、１２  用紙供給路、１３  本体側搬送路、１４  反転用搬送路、１５  給紙ローラー、１６  リタードローラー、１６ａ  ローラー回転中心線、１７  搬送ローラー、１７ａ  ローラー、１７ｂ  広幅ローラー、１８  従動ローラー、２０用紙検知レバー、２１  紙送りローラー対、２２  印刷ヘッド、２３  第１排紙ローラー対、２４  第２排紙ローラー対、２５  プラテン、２６  上側経路、２７  下向き経路、２８  下側経路、２９  上向き経路、３０  共通経路、３１  第１搬送ローラー、３１ａ  ローラー軸、３２  従動ローラー、３３  第２搬送ローラー、３３ａ  ローラー軸、３４  従動ローラー、３５  合流部、３６  経路切替フラップ、４０  開閉中心線、４１  ユニットケース、４２  背面カバー、４２ａ  開口部、４３  レバー操作部、４４  ロック片、４５  ロック穴、６１  搬送ガイド板、６２  搬送ガイド板、６１ａ  リブ、６２ａ  リブ、６３  搬送ガイド板、６４  搬送ガイド板、６５  搬送ガイド板、６５ａ  スライドレール、６７ａ  ガイド用突起、６７ｂ  ガイド用突起、６７ｃ  ガイド用突起、６８  開口部、７０  リタードローラー装着部（ユニット装着部）、７１  搬送ガイド板、７３  軸溝、７３ａ  軸溝開口部分、７３ｂ  軸溝開口部分、７４  第２ホルダー係止部、７５  底板、７６  端板、７７  係止溝、９０  ローラーホルダーユニット（ユニット）、１００  第１ホルダー、１００ａ  ホルダー回動中心線、１０１  端板、１０２  頭部、１０３  通し軸、１０４  支軸、１０４ａ  円形軸部、１０４ｂ  偏平軸部、１０５  係合ピン、１０６  脚部、１０７  当接軸、  １０７ａ  当接面、１０８  連結板、１０９  後側バネ掛け、１１０  第２ホルダー、１１１  背板、１１２  下側背板部分、１１２ａ  開口、１１３  水平板部分、１１３ａ  開口、１１４  上側背板部分、１１５  天板部分、１１６  補強リブ、１１７  補強リブ、１１８  端板、１１８ａ  係合端面、１１９  軸連結部、１２０  軸溝、１２１  バネ装着板、１２１ａ  底面、１２２  前側バネ掛け、１２３  係止板、１２３ａ  係止部、１３０  引張コイルバネ、１３１  バネ前端、１３２  バネ後端、１４０  退避機構、１４１  回動片、１４１ａ  当接面、１４２  回動軸、１４３  駆動機構
【図１】
2014172736.tif 000003
【図２】
2014172736.tif 000004
【図３】
2014172736.tif 000005
【図４】
2014172736.tif 000006
【図５】
2014172736.tif 000007
【図６】
2014172736.tif 000008
【図７】
2014172736.tif 000009
【図８】
2014172736.tif 000010
【図９】
2014172736.tif 000011
【図１０】
2014172736.tif 000012